(57)【要約】      （修正有）【課題】グリーストラップからの廃油の回収を、油とその他のものを完全に分離し、しかも作業が容易で低コストかつ短時間で終える油水分離パックを提供する。【解決手段】油水分離剤２を不織布にパッキングする。不織布にパッキングした油水分離剤２をグリーストラップに入れる。排水の中に混じった油を油水分離剤２に吸収させ、油の吸着量が限度に達する前に不織布ごと油水分離剤２が吸収した油を搾り出す。油を絞り出した後、グリーストラップに入れて再使用する。【選択図】図１
0003180080.tif 000002
【実用新案登録請求の範囲】
【請求項１】
一つ一つの粒が数ミリ以下  の  水を吸収せず、油だけを吸収する素材  を油水分離剤とし、
不織布または織布  であって、水と油を通過させ、油水分離剤を通過させないシート  をパッキングシートとし、
第１パッキングシートの上に任意の分量の油水分離剤を置き、その上に第２パッキングシートを被せ、油水分離剤の周囲の第１と第２のパッキンッグシートを貼り合わすことによって、できあがるところの  油水分離剤が包まれた一単位のパッキングシート  を油水分離パックＡとし、
不織布または織布からなる袋であって、水と油を通過させ、油水分離剤を通過させない袋に、任意の分量の油水分離剤を入れ、封印することで、できあがる  一単位の袋詰めの油回収剤  を油水分離パックＢとし、
上記、油水分離パックＡまたは油水分離パックＢの油水分離パック。
【請求項２】
請求項１に定義する油水分離パック  をグリーストラップの  いずれかの槽または二つの槽または全ての槽に  入れて漬け置く  ことにより、水と油が混じった排水中の油  を請求項１に定義の油水分離パックに吸収させるところの廃油回収方法。
【請求項３】
一般家庭の台所の排水口に設けた残飯を濾し取る金網を残飯濾し器とし、
残飯濾し器の  周囲と底  を外側から覆う器具を油水分離パック受け器とし、
油水分離パック受け器の底が金網であるものとし、
油水分離パック受け器の底と残飯濾し器の底の間には、油水分離パックを入れる空間があるものとし、
油水分離パック受け器は、廃水口に油水分離パック受け器をセットし、その上に油水分離パックをセットし、その上から残飯濾し器をセットできる構造であるものとし、
油水分離パック受け器は残飯濾し器を取り外すと、油水分離パックを取り出せる構造であるものとし、
上記の特徴を有する油水分離パック受け器。
【考案の詳細な説明】
【技術分野】請求項で定義した用語は明細書の説明においても、同様の意味を持つものとする。【０００１】グリーストラップからの廃油の回収方法
【背景技術】
【０００２】グリーストラップからの廃油の回収は、特にレストランやホテルなど、水と油が混ざった廃水の処理を義務づけられている業種では、やっかいな業務である。規模が大きく、廃水が多ければ、専用の回収設備を設けることで、廃油の回収を行っている。また、小規模であれば、手作業で廃油の回収を行っている、中間には廃油の回収業者に外注する方法で、廃油が回収されている。いずれにせよ、高い栄養価の廃棄物が混ざっていることから腐敗が伴い、悪臭があって、見た目にも汚く、決定的に快適な方法はない。
【技術文献】
【０００３】以下に挙げる特許に関して、利用する原理は、気化温度の差、比重の差、微生物の利用、化学処理、界面の性質の違いを利用した吸着剤によるもの、などであり、廃水からの油成分の除去手法はそれぞれ異なるものの、共通して、大規模な設備である。廃水から廃油を回収する手法に関して、大規模な設備であれば事業として成立する可能性が高く、逆に小規模であれれば、高価な設備  や  ランニングコストがかかる継続的なメンテナンスが伴う  ことから、需要が少なく、事業として成り立たない。断定はできないが、おおざっぱには、経済効果の低いテーマについては、事業として魅力がない、と推測できる。飲食店など零細な事業所では、事業主が几帳面であれば、手間によって廃油回収がなされている。逆に、事業主の環境負荷に関する意識が低ければ、低水準のメンテナンス状態にある。
【０００４】
【特許文献】特開  ２０１０−０６４０３３、２００２−１８８１９８、２００５−０５８９１２、２００４−２６１７２５、２００４−０９７９８８、２００１−３１１７１１７、平０５−１３８１３５、
【考案の概要】
【考案が解決しようとする課題】
【０００５】グリーストラップからの廃油の回収には次の第１と第２の課題がある。
第１の課題は、油とその他のものを完全に分離すること。【０００６】第２の課題は、作業が簡単で、低コストが、できるだけ短時間に終えること。
【課題を解決するための手段】
【０００７】第１の課題に対し、
既に開発されて、タンカーの油流出事故などによる海面に浮遊する油の回収に実績のある油回収剤を用いる。この材料はすでに市場で販売されていて、大規模な事象の油回収に使われている。本案発明はこの回収剤を応用する。【０００８】第２の課題に対し、
油回収剤を水と油を通す袋にパック詰めにし、グリーストラップに浮かし、油水分離剤が油だけを吸収する。油を吸収した油水分離剤は袋ごと絞ることで、油を回収する。絞ったあとの袋と油回収剤は再利用できる。初期費用は必要ではあるが、再利用できることから、ランニングコストが安い。
【考案の効果】
【０００９】以下の第１から第９の効果がある。
第１に、水に混ざった残飯と油の中から、油だけを吸収することができる。【００１０】第２に、大がかりな設備を必要とすることなく、人手を要するものの、手軽な方法で短時間に油成分だけを取り出すことができる。再利用できることからコストも安い【００１１】第３に、本格的な遠隔操作とまではゆかないが、柄長の絞り用具などを使うことによって、直接の手絞り作業の必要がなくなる。
第４に、既存のグリーストラップの改造を必要とすることなく、効率よく廃油を回収できる。【００１２】第５に、廃油の回収作業を簡易化できることから、廃油の回収をより徹底しやすくなり、環境への負荷の軽減を促進させる。【００１３】第６に、回収した廃油の質が良いことから、廃油の再生利用にも有効である。
【図面の簡単な説明】
【００１４】
【図１】本案発明の一実施例の説明図
【図２】本案発明の一実施例の説明図
【図３】本案発明の一実施例の説明図
【図４】廃油を絞り取る様子
【考案を実施するための最良の形態】
【００１５】図１に示す、不織布に油回収剤をパッキンッグした油水分離パックを、図２に示すように、グリーストラップの第２槽に入れる。油水分離パックは水よりも軽いので、槽に浮いた状態で、表面の油を吸収する。流す油の量を見計らって油水分離パックを取り出し、水を垂らした後、図４の方法で油を搾り取る。廃油を絞った後の油水分離パックは再利用する。【００１６】図３に示すように、不織布に油回収剤をパッキングした油水分離パックを、家庭用台所の流し台の廃水口の残飯濾し器の廃水の流出側に設けた油水分離パック受け器にセットする。油水分離パックを通過する廃水中の油を油水分離剤が吸収する。定期的に油水分離パックを取り出し、水を垂らした後、図４の方法で油を絞り取る。廃油を絞った後の油水分離パックは再利用する。
【実施例】
【００１７】以下、図面を用いた詳細説明。
図１は本案発明の油水分離パックの一実施例の構造説明図である。
図１（ａ）は上面図を示す。
図１（ｂ）は断面図を示す。
１１と１２は化学繊維を主体とする不織布または織布からなるそれぞれ第１と第２パッキングシート、２は封入されている油水分離剤の粒、１３は、１１と１２のパッキングシートの油水分離剤の周囲を接着した部分である。接着により、油回収剤は袋詰めされた状態になる。水も油もパッキングシートを通過するので、油回収剤は油だけを吸収し、油水分離パックを持ち上げると、水はしたたり落ちて、油回収剤に含まれる油だけが  パックに包まれた油水分離剤  に残る。【００１８】図２はグリーストラップの第２槽に油水分離パックをセットした状態を示す。
図２（ａ）は上面図、図２（ｂ）はその断面図を示す。
５１は第１槽、５２は第２槽、５３は第３槽、３は油水分離パック、６１は第１槽に流入する廃水、６２は第２槽に溜まる廃油混じりの廃水、６３は第２槽に流入する廃油混じりの廃水、６４は第２槽の中で水より軽い廃油を含む成分が浮き上がる方向を示す。６５は第３槽に流入する廃水、６６は第３槽から流出する廃水である。
残飯を含む廃水は第１槽に入り、第１槽から第２槽へは水と油の混じった廃水の内第１槽の下層部が流れ込む。第２槽の表面は油水分離パックがセットされ、浮いている状態である。第１槽に溜まった廃油の量が増えて、一定量以上溜まると、第２槽に流れ込む。第２槽に流れ込んだ廃油は第２槽の水面に浮き上がり、セットされている油水分離パックに吸着される。第３槽に流れ込む廃水はすでに廃油が除去されている。【００１９】図３は台所の流しの底の排水口に設置して廃油を除去する器具の構造図である。
７は残飯濾し器、８は油水分離パック受け器、３は油水分離パック、６１は残飯と廃油を含む廃水、６３は残飯濾し器と油水分離パックを通過した廃水である。
図２の説明と同様、台所の排水の廃油は油水分離パックを通過する際、油水分離パックに吸収される。油水分離パックは油水分離パック受け器の底にセットされ、簡単に取り外すことができる。【００２０】図４は図１の油水分離パックをグリーストラップから引き上げ、水をしたたり落とした後、廃油を回収すべく搾り取る図である。雑巾を絞ると同じ方法で油を絞り出す。油を絞り取った後の油水分離パックは再びグリーストラップに入れて再利用する。
【符号の説明】
【００２１】１１、１２  それぞれ第１、第２シート
１３  裏表のシートの接着部
２  油水分離剤
３  油水分離パック
４  手
５１、５２、５３  それぞれ  第１、第２、第３  グリーストラップ槽
６１  第１槽に流れ込む廃水
６２  第１槽に溜まっている廃油を含む廃水
６３  第２槽に流れ込む廃油を含む廃水
６４  第２槽に流れ込んだ廃水の中の廃油分
６５  第３槽に流れ込む廃水
６６  第３槽から流れ出る廃水
７  残飯濾し器
８  油水分離パック受け器
【図１】
0003180080.tif 000003
【図２】
0003180080.tif 000004
【図３】
0003180080.tif 000005
【図４】
0003180080.tif 000006
【手続補正書】
【提出日】平成24年9月10日(2012.9.10)
【手続補正１】
【補正対象書類名】実用新案登録請求の範囲
【補正対象項目名】全文
【補正方法】変更
【補正の内容】
【実用新案登録請求の範囲】
【請求項１】
一つ一つの粒が数ミリ以下  の  水を吸収せず、油だけを吸収する素材  を油水分離剤とし、不織布または織布  であって、水と油を通過させ、油水分離剤を通過させないシート  をパッキングシートとし、第１パッキングシートの上に任意の分量の油水分離剤を置き、その上に第２パッキングシートを被せ、油水分離剤の周囲の第１と第２のパッキンッグシートを貼り合わすことによって、できあがるところの  油水分離剤が包まれた一単位のパッキングシート  を油水分離パックＡとし、不織布または織布からなる袋であって、水と油を通過させ、油水分離剤を通過させない袋に、任意の分量の油水分離剤を入れ、封印することで、できあがる  一単位の袋詰めの油回収剤を油水分離パックＢとし、上記、油水分離パックＡまたは油水分離パックＢの油水分離パック。
【請求項２】
一般家庭の台所の排水口に設けた残飯を濾し取る金網を残飯濾し器とし、残飯濾し器の  周囲と底  を外側から覆う器具を油水分離パック受け器とし、油水分離パック受け器の底が金網であるものとし、油水分離パック受け器の底と残飯濾し器の底の間には、油水分離パックを入れる空間があるものとし、油水分離パック受け器は、廃水口に油水分離パック受け器をセットし、その上に油水分離パックをセットし、その上から残飯濾し器をセットできる構造であるものとし、油水分離パック受け器は残飯濾し器を取り外すと、油水分離パックを取り出せる構造であるものとし、上記の特徴を有する油水分離パック受け器。